(57)【特許請求の範囲】
【請求項１】
陰極線管と、
鋸歯状波信号を発生させる鋸歯状波発生器と、
上記鋸歯状波信号に応答し、上記陰極線管のネックに取り付けられた垂直偏向巻線に結合されていて、通常動作中に上記陰極線管のスクリーン上のビームスポットの位置を垂直方向に周期的に変化させるような垂直偏向電流を上記鋸歯状波信号に従って上記垂直偏向巻線中に生成させ、上記鋸歯状波発生器と直流結合され、入力と出力が帰還路を介して直流結合された垂直偏向回路増幅器と、
上記通常動作時に鋸歯状波信号の平均値を示す信号を生成し、上記偏向電流の平均値を調整して垂直センタリングを行う手段と、
上記鋸歯状波発生器において、鋸歯状波信号の発生を停止させる手段と、
上記鋸歯状波発生器において、鋸歯状波信号の発生を停止させたとき、通常動作時の上記鋸歯状波信号の平均値を示す信号を上記垂直偏向回路増幅器を介して上記偏向巻線に供給して上記ビームスポットの垂直方向のセンタリングを行う手段と、
を具える、ビデオ表示偏向装置。
【発明の詳細な説明】
【０００１】
【産業上の利用分野】
この発明は、ビデオ表示器装置に、特に、偏向を停止させるサービスモード回路に関するものである。
【０００２】
【発明の背景】
一般的には、テレビジョン受像機における垂直偏向回路の垂直鋸歯状波発生器は直流電流源により充電される電流積分キャパシタを利用して、垂直同期信号に同期した出力鋸歯状波信号のランプ・トレース部分を発生させる。鋸歯状波信号のトレース部分は、陰極線管（ＣＲＴ）における垂直偏向を行なわせる垂直偏向電流のトレース部分を制御する。
【０００３】
直流結合型垂直偏向回路では、鋸歯状波信号が垂直偏向増幅器の入力に直流結合される。この増幅器により生成された垂直偏向電流の大きさを示す帰還信号が増幅器の入力に負帰還的に直流結合される。
【０００４】
テレビジョン受像機の製造及び組み立ての時に、ビデオドライブ回路を適切なレベルに調整して、陰極線管の赤、緑、青用の電子ビームがこの陰極線管の蛍光体表示スクリーン上に適切なカラー画像を生じるように生成されるようにすることが必要でありあるいは希望されている。このような調整は一般的に垂直偏向回路を働かないようにして（不働化して）行われる。その結果、水平線が一本となり、その一本の水平線は、電子ビームのドライブレベル及びカットオフレベルを設定する際に、完全なラスタフィールドよりも容易に観察できる。この不働化機能を果たすために利用される回路は、通常サービススイッチと呼ばれる。直流結合型垂直偏向回路に、このような不働化機能を与えることが望ましい。
【０００５】
【発明の概要】
この発明の一態様を実施した垂直鋸歯状波発生器は垂直偏向増幅器に直流結合されている。通常の動作中の鋸歯状波信号の平均値を示す電圧が生成され、サービスモード動作が必要とされる時に利用できる。サービスモード制御信号がサービスモード動作が必要とされるときに生成される。このサービスモード制御信号が生成される時には、鋸歯状波信号の生成は停止させる。サービスモード動作では、鋸歯状波発生器は上記平均値信号に応答して、電子ビームをＣＲＴの垂直中心に位置させるのに必要な大きさの、垂直偏向増幅器に直流結合される直流出力信号を生成する。
【０００６】
この発明の一態様を実施したビデオ表示偏向装置は鋸歯状波信号を発生するための鋸歯状波発生器を含んでいる。鋸歯状波信号に応答する偏向回路増幅器が陰極線管のネックに取り付けられた垂直偏向巻線に結合されていて、鋸歯状波信号に応じて垂直偏向電流を偏向巻線に生成する。偏向電流は、通常動作中は陰極線管のスクリーン上のビームスポットの位置を垂直方向に周期的に変化させる。サービスモード制御信号が生成される。ビームスポットの垂直位置の変化を生じないようにして、通常動作時の垂直センタリングを示す信号を、増幅器の入力と出力の間に形成される信号路を介して偏向巻線に供給してスクリーンの垂直中心にビームスポットの位置を定める。
【０００７】
【詳細な説明】
図１、図２、及び図３は、鋸歯状波発生器１００を含むこの発明のある態様を実施する垂直偏向回路を、一部ブロック形式で示す図である。例えば、ＮＴＳＣ標準によるテレビジョン信号を処理するテレビジョン受像器のビデオ検波器（図示せず）等により生成される同期信号ＳＹＮＣが垂直タイミング発生器１０に結合される。発生器１０は、図４（ａ）に示されるように、垂直周波数パルス信号ＶＲＥＳＥＴを発生させる。図１、図２、図３、及び図４（ａ）〜図４（ｄ）における同様の記号並びに参照番号は、同様の素子や機能を示す。
【０００８】
図１のパルス信号ＶＲＥＳＥＴは、セット−リセットフリップフロップ１２のセット入力に供給されて、このフリップフロップ１２の状態を変化させる。その結果、フリップフロップ１２の出力Ｑは、出力制御信号１１２ａの前縁ＬＥを発生する。信号ＶＲＥＳＥＴと１１２ａの前縁はある垂直トレースの終わりで現われ垂直リトレースを開始させる。信号１１２ａは電流スイッチ１３の制御端子１３ａに結合される。前縁ＬＥが生じた直後、信号１１２ａによって、スイッチ１３が、集積回路（ＩＣ）製造技術で製造された積分キャパシタ１４の接続端子１８ａへ直流電流ＩＤＲＡＭＰを結合する。
【０００９】
電流ＩＤＲＡＭＰは、デジタル−アナログ（Ｄ／Ａ）変換器１６で生成された電圧ＶＲＳＬＯＰＥにより制御される電圧−電流（Ｖ／Ｉ）変換器１５で生成される。Ｄ／Ａ変換器１６へのデジタルデータ入力はマイクロプロセッサ１７からバスＢＵＳを介して供給される。マイクロプロセッサ１７は、さらに、Ｓ字成形や左右ひずみ修正のようなテレビジョン受像器における様々な調整機能（図示せず）を制御するために用いることができる。積分キャパシタ１４の第２の端子１１８ｂは、鋸歯状波信号ＶＲＡＭＰが生成される増幅器１８の出力に接続されている。電流ＩＤＲＡＭＰが、図４（ｂ）の鋸歯状波信号ＶＲＡＭＰのリトレース部分ＲＥＴＲＡＣＥを形成する。図１のキャパシタ１４の端子１８ａは増幅器１８の反転入力端子に接続されて電流積分器を形成する。
【００１０】
図１の信号ＶＲＡＭＰは、さらに比較器１９の非反転入力端子にも結合される。比較器１９は、信号ＶＲＡＭＰの部分ＲＥＴＲＡＣＥ中の信号ＶＲＡＭＰのレベルを検出して、信号ＶＲＡＭＰの部分ＲＥＴＲＡＣＥの終了時間を決める。比較器１９の反転入力端子は直流基準電圧ＶＬＯＷの電圧源に接続されている。基準電圧ＶＬＯＷがどのようにして生成されるかについては後述することとする。比較器１９の出力端子１９ａはＯＲゲート２０を介して、フリップフロップ１２のリセット入力Ｒに接続されている。
【００１１】
電流ＩＤＲＡＭＰによって、信号ＶＲＡＭＰがランプ降下し、電圧ＶＬＯＷに等しいレベルに達すると、比較器１９は、出力信号を発生し、この出力信号はフリップフロップ１２の状態を変化させ、また、出力Ｑに信号１１２ａの後縁ＴＥを発生させる。その後、電流ＩＤＲＡＭＰはスイッチ１３によりキャパシタ１４から切り離される。
【００１２】
電流ＩＤＲＡＭＰの大きさは、Ｄ／Ａ変換器１６へのデジタルデータ入力の値に従ってプログラムすることができ、それによって、必要とされるリトレース勾配、即ち、信号ＶＲＡＭＰの部分ＲＥＴＲＡＣＥの長さを与えることができる。例えば、図１と同様で、切換型垂直偏向回路（図示せず）の制御を目的としている構成においては、Ｖ／Ｉ変換器１５を図１の場合よりも小さな電流を生じるようにプログラムすることができる。このようにすると、図４（ｂ）の破線で示すように、図３に示されているような非切換型垂直偏向回路を制御するのに用いられる部分ＲＥＴＲＡＣＥの長さに比較して、部分ＲＥＴＲＡＣＥを長くすることができる。このように、図４（ｂ）の信号ＶＲＡＭＰのリトレース部分ＲＥＴＲＡＣＥは、切換型あるいは非切換型のどちらの垂直偏向回路にも適応できるようにすることができる。
【００１３】
図１の信号ＶＲＥＳＥＴのパルス幅が、信号ＶＲＡＭＰの部分ＲＥＴＲＡＣＥの長さよりも短かければ、信号ＶＲＥＳＥＴの後縁のタイミングの正確さはそれほど重要ではない。このことの利点は、非標準、標準両方の同期信号ＳＹＮＣの処理に必要なタイミング発生器１０を簡素化できることである。非標準同期信号ＳＹＮＣは、例えば、静止フレームモードあるいは静止画像モードで動作するビデオテープレコーダから供給される。
【００１４】
電流ＩＤＲＡＭＰよりも実質的に小さい直流電流ＩＵＲＡＭＰがＶ／Ｉ変換器２１で生成される。信号１１２ａの後縁ＴＥの発生後に、キャパシタ１４の端子１８ａに結合された電流ＩＵＲＡＭＰがキャパシタ１４を充電して、図４（ｂ）の鋸歯状波信号ＶＲＡＭＰのランプトレース部分ＴＲＡＣＥを発生させる。図１のＶ／Ｉ変換器２１の電流ＩＵＲＡＭＰの大きさは、キャパシタ２２の両端間に発生する電圧ＶＡＧＣにより自動利得制御（ＡＧＣ）帰還ループで制御される。電圧ＶＡＧＣは変換器２１を、電圧ＶＡＧＣが正になればなるほど電流ＩＵＲＡＭＰは小さくなるように制御する。ＡＧＣストローブ信号ＡＧＣＳＴＲが、スイッチ２４の制御端子２４ａに結合される。
【００１５】
信号ＡＧＣＳＴＲは垂直トレースの終端に近接した時点で、垂直タイミング発生器１０において生成される。信号ＡＧＣＳＴＲは、例えば水平ビデオ線の長さ、すなわち６４マイクロ秒に等しいパルス幅を有している。信号ＡＧＣＳＴＲのパルスが発生している間、Ｖ／Ｉ変換器２３で生成された電流ＩＯＵＴがスイッチ２４を介してキャパシタ２２に供給される。信号ＡＧＣＳＴＲのパルスが発生している時以外は、キャパシタ２２はその電圧をほぼ一定レベルに維持し、サンプルアンドホールド動作を行なう。電流ＩＯＵＴの大きさは変換器２３で制御され、信号ＶＲＡＭＰと後述するようにして生成されるある基準電圧ＶＨＩＧＨとの差に比例する。
【００１６】
あるトレース期間で、ストローブ信号ＡＧＣＳＴＲが発生した時に信号ＶＲＡＭＰの大きさが電圧ＶＨＩＧＨよりも小さい場合は、電流ＩＯＵＴは正で電圧ＶＨＩＧＨと信号ＶＲＡＭＰの差に比例した大きさとなる。正の電流ＩＯＵＴはキャパシタ２２の電圧ＶＡＧＣを減少させる。従って、次の垂直トレース期間では、以前よりも、電流ＩＵＲＡＭＰが大きくなり、信号ＶＲＡＭＰの増加率も大きくなって、前述の信号ＶＲＡＭＰが必要とされる大きさより小さくなる傾向を補正する。
【００１７】
逆に、信号ＡＧＣＳＴＲのパルスが発生した時に、信号ＶＲＡＭＰの大きさが電圧ＶＨＩＧＨよりも大きくなった場合は、次の垂直トレース期間では電流ＩＵＲＡＭＰは小さくなる。このように、ＡＧＣ帰還ループは、ストローブ信号ＡＧＣＳＴＲが発生した時に信号ＶＲＡＭＰの大きさを電圧ＶＨＩＧＨと同じレベルになるようにする。定常状態の動作において、電流ＩＯＵＴの極性は、図４（ｄ）に示すように、信号ＡＧＣＳＴＲのパルスの中心で変化する。
【００１８】
回路が付勢された直後に、キャパシタ２２は完全に放電される。キャパシタ２２は電圧ＶＣＣに接続されている。そのため、電源をターンオンすると、電圧ＶＡＧＣが電圧ＶＣＣと等しくなってランプ信号ＶＲＡＭＰの振幅は最小または零になる。キャパシタ２２がＶＣＣではなくアースに接続されているとすると、電源をターンオンした時の信号ＶＲＡＭＰの振幅は過大になってしまう。信号ＶＲＡＭＰの振幅が過大であると、偏向電流の振幅が過大となってしまう。その結果、ＣＲＴ４９の電子ビームがＣＲＴ４９のネックに衝突してＣＲＴ４９を損傷することになる。
【００１９】
信号ＡＧＣＳＴＲは、垂直トレース部分ＴＲＡＣＥの中心から離れた時点で、できる限り垂直トレースの末端の近くで発生するようにされている。このようにすると、信号ＶＲＡＭＰのレベルが電圧ＶＬＯＷに等しくなるように設定される時点と信号ＡＧＣＳＴＲが生成される時点との期間の長さが、例えば、最大可能な長さとなる。信号ＶＲＡＭＰのサイクル中で、信号ＡＧＣＳＴＲの発生をどれだけ遅くすることができるか、その上限は、信号ＶＲＡＭＰの垂直サイクルの最小必要長さにより決定される。例えば、図４（ｃ）に示すように、信号１１２ａの後縁ＴＥから定格垂直周期Ｖの８０％の長さである期間Ｔが経過した後に、信号ＡＧＣＳＴＲが生じるようにすることができる。
【００２０】
時間ＣＥＮＴＥＲは部分ＴＲＡＣＥの中心にある。図４（ｂ）の時間ＣＥＮＴＥＲから離れた時点で、信号ＶＲＡＭＰのレベルはそのピーク値に近くなる。従って制御精度に対してオフセット誤差が与える影響の相対的な割合が、例えば時間ＣＥＮＴＥＲで信号ＡＧＣＳＴＲが発生する状況と比較して減少する。その結果、図１の信号ＶＲＡＭＰをより正確に制御することが可能となる。
【００２１】
信号ＶＲＡＭＰは、図示しないが、何らかの方法でＳ字成形を与えるように波形修正され、また、例えば、垂直偏向巻線Ｌｙに垂直偏向電流ｉｙを発生させるための垂直増幅器１１ａを含む図３の直流結合された線形垂直偏向回路１１に直流結合されている。図３の巻線ＬｙはＣＲＴ４９の垂直偏向を行なう。直流結合を採用すると、大きな交流結合キャパシタを使用する必要がなくなり、また、直線やＳ字成形が結合キャパシタ特性によって左右されることがなくなる。
【００２２】
図２は、前述した図１の電圧ＶＨＩＧＨとＶＬＯＷを生成し、また、後述する垂直センタリング調整目的に使用される電圧ＶＣＥＮＴを生成するための構成１０１を示す。構成１０１は、７．７ボルトの電圧源ＶＣＣに接続された端子を持つ抵抗Ｒ９を含んでいる。抵抗Ｒ９のもう一方の端子１０１ａは抵抗Ｒ８に接続されている。抵抗Ｒ８の端子１０１ｃは、抵抗Ｒ７とＲ６の直列体に接続されている。抵抗Ｒ７とＲ６の直列体は、端子１０１ｃと１０１ｂの間に接続されている。抵抗Ｒ５が端子１０１ｂとアースとの間に接続されている。抵抗Ｒ１１ＡとＲ１０Ａからなる第２の直列体が、抵抗Ｒ７とＲ６の直列体と並列に、端子１０１ｂと１０１ｃの間に接続されている。
【００２３】
電圧ＶＬＯＷは端子１０１ｂに生成される。電圧ＶＨＩＧＨは端子１０１ｃに生成される。また、電圧ＶＣＥＮＴは、抵抗Ｒ１１ＡとＲ１０Ａの間にある端子１０１ｄに生成される。
【００２４】
Ｖ／Ｉ変換器５２は、図１のマイクロプロセッサ１７からバスＢＵＳと、Ｄ／Ａ変換器５３を介して受け取った入力データにより制御され、図２の直流電流ＩＣＥＮＴＥＲを生成する。電流ＩＣＥＮＴＥＲは抵抗Ｒ６とＲ７との接続点に供給される。電流ＩＣＥＮＴＥＲは、垂直センタリングを調整するために、電圧ＶＬＯＷとＶＨＩＧＨを調整することによって信号ＶＲＡＭＰの平均値の調整を行なう。信号ＶＲＡＭＰの平均値は正規には、電圧ＶＣＣの２分の１の値に等しい。信号ＶＲＡＭＰは図３の巻線Ｌｙに直流結合されているため、信号ＶＲＡＭＰの平均値が変化すると、その変化に対応する変化が電子ビームのセンタリングに生じる。
【００２５】
図２のＶ／Ｉ変換器５０は、図１のマイクロプロセッサ１７からバスＢＵＳと図２のＤ／Ａ変換器５１を介して受け取った入力データによって制御されて、ダイオード形に接続されたトランジスタＱ１のベースとコレクタの両方に供給される図２の直流電流ＩＨＥＩＧＨＴを発生する。トランジスタＱ１のベースとコレクタは、トランジスタＱ３のベースに接続されて、電流ＩＨＥＩＧＨＴに等しいトランジスタＱ３のコレクタ電流を制御する。トランジスタＱ３のコレクタは、抵抗Ｒ５とＲ６の間の端子１０１ｂに接続されている。トランジスタＱ４のコレクタとベースの両電極は相互接続されてダイオード形式とされており、またトランジスタＱ３のエミッタにも接続されてこのトランジスタＱ３の電流を供給する。トランジスタＱ４のエミッタは抵抗Ｒ２を介して端子１０１ａに接続されている。トランジスタＱ２のベースはトランジスタＱ４のベースとコレクタとに接続されている。トランジスタＱ２のエミッタは抵抗Ｒ１を介して端子１０１ａに接続されている。トランジスタＱ２のコレクタは、トランジスタＱ１のエミッタに結合されており、トランジスタＱ１のコレクタ電流を供給する。
【００２６】
トランジスタＱ１、Ｑ２、Ｑ３、及びＱ４は温度補償された電流ミラー回路構成を形成している。抵抗Ｒ１とＲ２をそれぞれ流れるトランジスタＱ２とＱ４のエミッタ電流の和は、端子１０１ａを介して供給され、電流ＩＨＥＩＧＨＴの値の２倍に等しい。端子１０１ｂに供給されるトランジスタＱ３のコレクタ電流は、電流ＩＨＥＩＧＨＴに等しい。
【００２７】
電流ＩＨＥＩＧＨＴのレベルは、電圧ＶＨＩＧＨとＶＬＯＷのレベルを設定することによって制御されて、図１の信号ＶＲＡＭＰの所要のピーク−ピーク振幅を設定する。電流ＩＨＥＩＧＨＴを調整すると、電圧ＶＨＩＧＨとＶＬＯＷが互いに逆方向に変化する。
【００２８】
電流ＩＨＥＩＧＨＴが変化すると信号ＶＲＡＭＰのピーク−ピーク振幅が変化し、垂直センタリングに影響を与えることなく垂直高さの調整を行なうことができる。例えば、図２の電流ＩＨＥＩＧＨＴが増加すると、電圧ＶＨＩＧＨは減少し、電圧ＶＬＯＷは増加するが、電圧ＶＲＡＭＰの平均値と電圧ＶＣＥＮＴのレベルは電流ＩＨＥＩＧＨＴ増加による影響は受けない。この有利な特徴は、端子１０１ａと１０１ｂに供給され、トランジスタＱ１、Ｑ２、Ｑ３、Ｑ４によって生成される電流の値と、構成１０１中の抵抗の値を適切に選択することにより得られる。
【００２９】
電流ＩＣＥＮＴＥＲのレベルは電圧ＶＬＯＷとＶＨＩＧＨが同じ方向に変化するようにバスＢＵＳを介して制御される。例えば、サービスラスタセンタリング調整のために電流ＩＣＥＮＴＥＲを増加させると、電圧ＶＨＩＧＨとＶＬＯＷのそれぞれが減少する。
【００３０】
構成１０１における抵抗の値は、さらに、図２の電流ＩＣＥＮＴＥＲの調整後も図１の信号ＶＲＡＭＰのピーク−ピーク振幅がほぼ同じになるように選択される。その結果、垂直センタリングの調整が垂直高さに影響しない。信号ＶＲＡＭＰの平均値は互いに独立して調整できる。
【００３１】
図３の偏向回路１１においては、偏向巻線Ｌｙが偏向電流サンプリング抵抗Ｒ８０と直列に接続されて、増幅器１１ａの出力端子１１ｂと電源デカップル用キャパシタＣｂの接続端子１１ｃとの間に接続された直列体を構成する。抵抗Ｒ７０が例えば＋１２ボルトの、供給電圧Ｖ＋を端子１１ｃに接続する。巻線Ｌｙと抵抗Ｒ８０の間に接続された接続端子１１ｄが帰還抵抗Ｒ６０を介して増幅器１１ａの反転入力端子に接続されている。抵抗Ｒ８０の端子１１ｃは、抵抗Ｒ３０を介して、増幅器１１ａの非反転入力端子に接続されている。このようにして、抵抗Ｒ８０の両端間に発生する負帰還電圧が増幅器１１ａの入力端子に加えられる。増幅器１１ａを制御する鋸歯状波信号ＶＲＡＭＰは抵抗Ｒ４０とＲ５０の並列体を介して増幅器１１ａの反転入力端子に供給される。電圧ＶＣＣは抵抗Ｒ１０を介して増幅器１１ａの非反転入力端子に供給される。抵抗Ｒ２０が、増幅器１１ａの非反転入力端子とアースの間に接続されている。
【００３２】
抵抗Ｒ１０、Ｒ２０、Ｒ３０、Ｒ４０、Ｒ５０、及びＲ６０は、例えば、共通の基板上に形成して、温度トラッキングが緊密になるように単一の抵抗回路網パッケージとすることができる。抵抗Ｒ１０、Ｒ２０、Ｒ３０、Ｒ４０、Ｒ５０、Ｒ６０の各々は、例えば、０．５％の公差がある。抵抗Ｒ１０、Ｒ２０、Ｒ３０は、電圧ＶＣＣと端子１１ｃに発生する電圧を増幅器１１ａの非反転入力端子に結合する抵抗回路網の第１の部分を形成する。抵抗Ｒ４０、Ｒ５０、Ｒ６０は、信号ＶＲＡＭＰと端子１１ｄにおける偏向電流を表わす帰還信号を増幅器１１ａの反転入力端子に供給する抵抗回路網の第２の部分を形成する。
【００３３】
図２の構成１０１における各要素の値は、図３の信号ＶＲＡＭＰの平均値が通常、電圧ＶＣＣの２分の１に等しくなるように選択される。信号ＶＲＡＭＰのレベルが電圧ＶＣＣの２分の１に等しい時に、端子１１ｄと１１ｃにおける電圧が等しくなると仮定する。従って、増幅器１１ａの反転入力端子に関して、信号ＶＲＡＭＰと抵抗Ｒ４０、Ｒ５０、Ｒ６０を含む回路部分のテブナンの定理により求められた等価回路と、増幅器１１ａの非反転入力端子に関して、電圧ＶＣＣと抵抗Ｒ１０、Ｒ２０、Ｒ３０を含む回路部分のテブナンの定理による等価回路とが等しくなる。従って、その平均値、あるいは電圧ＶＣＣの２分の１に等しい信号ＶＲＡＭＰが、正規には零か零に近い偏向電流ｉｙを発生させる。信号ＶＲＡＭＰは、ほぼ対称的な負及び正のピーク振幅を有する電流ｉｙを発生させる。
【００３４】
増幅器１１ａの非反転入力端子に関するテブナン等価回路に対するＲ１０、Ｒ２０、Ｒ３０の各抵抗の関与は、反転入力端子に関するテブナン等価回路に対する抵抗Ｒ４０、Ｒ５０、Ｒ６０の関与と同じである。このようになるのは、抵抗対（Ｒ１０、Ｒ４０）、（Ｒ２０、Ｒ５０）、（Ｒ３０、Ｒ６０）の各々における抵抗が等しい値であるからである。各対内の抵抗が等しいことにより、その抵抗値が等しくない場合に比べると緊密で良好な整合及び温度トラッキング特性が得られるという利点がある。温度トラッキングがそのように緊密になるのは、製造過程において、抵抗が等しい値であるときに５０ｐｐｍ／℃というような温度トラッキング係数の近似した１対の別々の抵抗を形成することがより容易であるためである。信号ＶＲＡＭＰの平均値を電圧ＶＣＣの２分の１に等しく設定すれば、抵抗Ｒ１０とＲ４０の対を等しい値の抵抗で形成することができ、また、抵抗Ｒ２０とＲ５０の対も等しい値の抵抗で形成することができる。
【００３５】
各対の抵抗を互いに等しくしたので、電流ｉｙによりキャパシタＣ６の端子１１ｃに現われる垂直周波数のパラボラ電圧に対する共通モード排除、供給電圧Ｖ＋の変化に対する共通モード排除、並びに供給電圧ＶＣＣに対する共通モード排除がより大きくなり、同時に、その温度依存性が小さくなる。従って、偏向電流ｉｙの歪と直流電流ドリフトが、例えば、０℃〜４０℃というような全動作温度範囲内で減少する。例えば、温度変化による電圧ＶＣＣの変化は、増幅器１１ａの反転入力端子に結合される信号ＶＲＡＭＰの平均値と増幅器１１ａの非反転入力端子に結合される直流電圧ＶＣＣの部分の両方を同方向にほぼ同じ量だけ変化させる。従って、直流センタリングが電圧ＶＣＣの変化にあまり影響を受けないという利点が得られる。
【００３６】
テレビジョン受像器の現場での調整や工場での調整のためには、垂直ラスタを崩壊させて、図３のＣＲＴ４９の電子ビームを表示スクリーンの垂直中心かその近くに設定したい場合がある。
【００３７】
この発明の一態様によれば、図１の信号ＳＥＲＶＩＣＥは、マイクロプロセッサ１７で生成された入力データからバスインタフェースユニット３０で生成され、サービスモード動作時に、ＯＲゲート２０を介してフリップフロップ１２のリセット入力Ｒへ結合される。その結果、電流ＩＤＲＡＭＰはキャパシタ１４には供給されない。代わりに、スイッチ３１の制御端子３１ａに結合された信号ＳＥＲＶＩＣＥによって、スイッチ３１が、Ｖ／Ｉ変換器３２で生成された電流ＩＳＥＲＶをキャパシタ１４の端子１８ａに結合する。Ｖ／Ｉ変換器３２は電流ＩＳＥＲＶを、信号ＶＲＡＭＰと前述したようにして生成される直流電圧ＶＣＥＮＴとの差に比例した大きさで発生させる。Ｖ／Ｉ変換器３２を介した負帰還の結果として、信号ＶＲＡＭＰは、信号ＳＥＲＶＩＣＥが生成された時、電圧ＶＣＥＮＴに等しい一定のレベルに設定される。電圧ＶＣＥＮＴのレベルの信号ＶＲＡＭＰは、ＣＲＴ４９のスクリーンの垂直中心で垂直ラスタを崩壊させる小さな値または零の値の直流電流ｉｙ（図３）を発生させる。従って、水平偏向回路（図示せず）による水平走査がＣＲＴ４９の表示スクリーンの垂直中心で連続的に起こる。
【図面の簡単な説明】
【図１】この発明の態様を実施した垂直偏向回路の一部の回路図である。
【図２】この発明の一態様を実施した垂直偏向回路の他の一部の回路図である。
【図３】この発明の一態様を実施する垂直偏向回路のさらに別の一部の回路図である。
【図４】図１〜図３の構成の理想的な波形を示す波形図である。
【符号の説明】
４９  陰極線管（ＣＲＴ）
１４  鋸歯状波発生器を構成するキャパシタ
１８  鋸歯状波発生器を構成する増幅器
１１ａ  偏向回路増幅器
Ｌｙ  垂直偏向巻線
１７  サ─ビスモ─ド制御信号を発生させる手段を構成するマイクロプロセッサ
３１ａ  サ─ビスモ─ド制御信号を発生させる手段を構成するスイッチの制御端子
３１  不働化手段を構成するスイッチ
３２  不働化手段を構成するＶ／Ｉ変換器
【図１】
0003666887.tif 000002
【図２】
0003666887.tif 000003
【図３】
0003666887.tif 000004
【図４】
0003666887.tif 000005